(57)【要約】【課題】カラオケ演奏に際して複数種類の歌詞文字映像を実用的な態様で表示し得るカラオケ装置を提供する。【解決手段】画面３０ｓに対する第１の角度範囲Ａから視た場合に視認可能な第１の映像７４を表示させると共に、第２の角度範囲Ｂから視た場合に視認可能な第２の映像８０を表示させる映像表示装置３０を備え、所定のタイミングで歌われるべき第１の歌詞及び第２の歌詞を有する演奏曲に関して、その第１の歌詞に対応する歌詞文字映像７６を生成して第１の映像７４の一部として表示させる第１映像表示制御手段７０と、その表示と同期して第２の歌詞に対応する歌詞文字映像８２を生成して第２の映像８０の一部として表示させる第２映像表示制御手段７２とを、有するものであることから、複数の演奏者が所定のタイミングでそれぞれ異なる歌詞を歌うべき箇所において、それぞれの歌詞文字映像を区別し易く且つ可及的に大きく表示させることができる。【選択図】図５
2007199416.tif 000002
【特許請求の範囲】
【請求項１】
多数の演奏曲のうちから選択される所定の演奏曲を出力させると共に、該演奏曲の出力と同期して所定の映像を表示させるカラオケ装置であって、
画面に対する第１の角度範囲から視た場合に視認可能な第１の映像を表示させると共に、前記画面に対する第２の角度範囲から視た場合に視認可能な第２の映像を表示させる映像表示装置を備え、
所定のタイミングで歌われるべき第１の歌詞及び第２の歌詞を有する演奏曲に関して、該第１の歌詞に対応する歌詞文字映像を生成して前記第１の映像の一部として表示させる第１映像表示制御手段と、
該第１映像表示制御手段による表示と同期して前記第２の歌詞に対応する歌詞文字映像を生成して前記第２の映像の一部として表示させる第２映像表示制御手段と
を、有することを特徴とするカラオケ装置。
【請求項２】
前記第１映像表示制御手段は、前記演奏曲の出力と同期して前記第１の歌詞に対応する歌詞文字映像を順次色替わり表示させるものであり、
前記第２映像表示制御手段は、前記演奏曲の出力と同期して前記第２の歌詞に対応する歌詞文字映像を順次色替わり表示させるものである請求項１のカラオケ装置。
【発明の詳細な説明】
【技術分野】
【０００１】
本発明は、カラオケボックス等で使用されるカラオケ装置に関し、特に、カラオケ演奏に際しての映像表示機能の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して映像表示装置の画面に表示させることで、所望の歌のカラオケ演奏を楽しむことができる。
【０００３】
前記カラオケ演奏における映像表示に関して、前記映像表示装置の画面を複数の領域に分割し、各領域に異なる映像を表示させる技術が提案されている。例えば、特許文献１に記載されたカラオケ付きテレビ受像機がそれである。この技術によれば、画面を左右２領域に分割して各領域に異なる映像を表示可能な映像表示装置と、演奏者の映像を撮影し得る撮像装置と、を備え、その撮像装置により撮影された映像を前記左右２領域の何れか一方に表示させると共に、他方の領域に演奏曲の歌詞文字映像を表示させることで、カラオケ演奏に際して演奏者の映像を前記映像表示装置の画面の一部に表示できる。
【０００４】
【特許文献１】特開２００２−９１４６０号公報
【発明の開示】
【発明が解決しようとする課題】
【０００５】
ところで、前記カラオケ装置により演奏される演奏曲の中には、複数の演奏者が所定のタイミングでそれぞれ異なる歌詞を歌うべき箇所を有するものがある。例えば、一般の演奏曲におけるバックコーラスや掛け声に対応する部分、デュエット曲における掛け合いパート等がその箇所に相当する。従来、斯かる箇所では各演奏者が歌詞を参照して歌えるように、それぞれの歌詞文字映像を色分けや括弧付け等により区別して前記映像表示装置に表示させていたが、その区別が分かり難いという不具合が指摘されていた。ここで、前述したような従来の技術をこの歌詞文字映像の表示に応用し、所定のタイミングで歌われるべき複数種類の歌詞文字映像を前記各領域にそれぞれ表示させることを考えた場合、そのように前記映像表示装置の画面を複数の領域に分割するものでは、各領域それぞれに表示される映像が必然的に小さくなってしまい、その映像に含まれる歌詞文字映像が読み難くなることに加え、前記左右の領域のどちらに表示されているのが自分の歌詞かわからず、却って区別がし辛くなる可能性があった。すなわち、カラオケ演奏に際して複数種類の歌詞文字映像を実用的な態様で表示し得るカラオケ装置は、未だ開発されていないのが現状である。
【０００６】
本発明は、以上の事情を背景として為されたものであり、その目的とするところは、カラオケ演奏に際して複数種類の歌詞文字映像を実用的な態様で表示し得るカラオケ装置を提供することにある。
【課題を解決するための手段】
【０００７】
斯かる目的を達成するために、本発明の要旨とするところは、多数の演奏曲のうちから選択される所定の演奏曲を出力させると共に、その演奏曲の出力と同期して所定の映像を表示させるカラオケ装置であって、画面に対する第１の角度範囲から視た場合に視認可能な第１の映像を表示させると共に、前記画面に対する第２の角度範囲から視た場合に視認可能な第２の映像を表示させる映像表示装置を備え、所定のタイミングで歌われるべき第１の歌詞及び第２の歌詞を有する演奏曲に関して、その第１の歌詞に対応する歌詞文字映像を生成して前記第１の映像の一部として表示させる第１映像表示制御手段と、その第１映像表示制御手段による表示と同期して前記第２の歌詞に対応する歌詞文字映像を生成して前記第２の映像の一部として表示させる第２映像表示制御手段とを、有することを特徴とするものである。
【発明の効果】
【０００８】
このようにすれば、画面に対する第１の角度範囲から視た場合に視認可能な第１の映像を表示させると共に、前記画面に対する第２の角度範囲から視た場合に視認可能な第２の映像を表示させる映像表示装置を備え、所定のタイミングで歌われるべき第１の歌詞及び第２の歌詞を有する演奏曲に関して、その第１の歌詞に対応する歌詞文字映像を生成して前記第１の映像の一部として表示させる第１映像表示制御手段と、その第１映像表示制御手段による表示と同期して前記第２の歌詞に対応する歌詞文字映像を生成して前記第２の映像の一部として表示させる第２映像表示制御手段とを、有することから、複数の演奏者が所定のタイミングでそれぞれ異なる歌詞を歌うべき箇所において、それぞれの歌詞文字映像を各演奏者に対応して区別し易く且つ可及的に大きく表示させることができる。すなわち、カラオケ演奏に際して複数種類の歌詞文字映像を実用的な態様で表示し得るカラオケ装置を提供することができる。
【０００９】
ここで、好適には、前記第１映像表示制御手段は、前記演奏曲の出力と同期して前記第１の歌詞に対応する歌詞文字映像を順次色替わり表示させるものであり、前記第２映像表示制御手段は、前記演奏曲の出力と同期して前記第２の歌詞に対応する歌詞文字映像を順次色替わり表示させるものである。このようにすれば、前記第１の歌詞に対応する歌詞文字映像及び第２の歌詞に対応する歌詞文字映像をそれぞれ独立に順次色替わり表示させられるという利点がある。
【００１０】
以下、本発明の好適な実施例を図面に基づいて詳細に説明する。
【実施例】
【００１１】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のサーバ（センタ装置）２０に接続されており、そのサーバ２０と上記カラオケ装置１６ａの相互間で情報の通信が可能とされている。このサーバ２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定のコンテンツや機能制御プログラム等を送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。また、上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１２】
図２は、本発明の一実施例であるカラオケ装置１６の構成を例示するブロック線図である。この図２に示すように、上記カラオケ装置１６は、後述する視野角制御型の映像表示装置３０、第１映像情報デコーダ３２ａ、第２映像情報デコーダ３２ｂ（以下、特に区別しない場合には単に映像情報デコーダ３２と称する）、第１ビデオミキサ３４ａ、第２ビデオミキサ３４ｂ（以下、特に区別しない場合には単にビデオミキサ３４と称する）、アンプミキサ３６、スピーカ３８、マイクロフォン４０、操作パネル４２、中央演算処理装置であるＣＰＵ４４、読出専用メモリであるＲＯＭ４６、随時書込読出メモリであるＲＡＭ４８、記憶装置であるハードディスク５０、モデム５２、ＬＡＮポート５４、第１映像出力部５６ａ、第２映像出力部５６ｂ（以下、特に区別しない場合には単に映像出力部５６と称する）、上記操作パネル４２等の入出力信号を処理する入出力インターフェイス５８、音源であるシンセサイザ６０、リモコン装置２８等の入力装置（遠隔入力端末装置）からのリモコン信号を受信するためのリモコン受信部６２、撮像装置である第１ＣＣＤカメラ６４ａ、及び第２ＣＣＤカメラ６４ｂ（以下、特に区別しない場合には単にＣＣＤカメラ６４と称する）を、備えて構成されている。
【００１３】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記電子早見本装置２２やリモコン装置２８等により所定のカラオケ演奏曲が選曲された場合、その選曲されたカラオケ演奏曲を上記ＲＡＭ４８に設けられた予約曲テーブルに登録したり、その予約曲テーブルの演奏順に従って上記ハードディスク５０のカラオケデータベース６６から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記映像出力部５６へ送ったり、選曲時には曲名文字映像を生成して上記映像出力部５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ２０との間の情報通信やＬＡＮ２４を介した前記電子早見本装置２２との間の情報通信制御等の基本的な制御を実行すると共に、後述するデュアルカラオケ映像表示制御を行う。
【００１４】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置（遠隔入力端末装置）として機能するリモコン装置２８が備えられており、前記リモコン受信部６２は、そのリモコン装置２８から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００１５】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記サーバ２０との間で情報の通信を行わない他のカラオケ装置１６には必ずしも設けられなくともよい。すなわち、マスターコマンダではないカラオケ装置１６ｂ、１６ｃ、１６ｄ、・・・は、マスターコマンダである前記カラオケ装置１６ａを介して前記サーバ２０等との間で情報の送受信を行う。
【００１６】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。
【００１７】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。なお、好適には、前記カラオケ装置１６には複数のマイクロフォン４０が備えられており、前記アンプミキサ３６においてはそれら複数のマイクロフォン４０を介して入力される複数の演奏者の歌声と前記シンセサイザ６０から送られてきた音楽信号とがミキシングされる。
【００１８】
前記ハードディスク５０には、カラオケ演奏曲を出力させるための多数のカラオケ情報を記憶するカラオケデータベース６６をはじめとする各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、随時新たなカラオケ情報が前記サーバ２０から前記通信回線１８を介して配信され、前記ハードディスク５０のカラオケデータベース６６等に記憶される。また、そのようにして前記サーバ２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース６６等の内容が等価なものとされる。このカラオケデータベース６６に記憶されるカラオケ情報は、曲名、歌手名、及びジャンル情報等を含むヘッダ情報、演奏情報としてのＭＩＤＩデータ、及び演奏曲の歌詞情報等を含む情報であり、各演奏曲毎にインデックスとしての選曲番号が定められている。この歌詞情報とは、演奏曲の歌詞に対応するテキスト情報、歌詞の出力タイミング情報、及び色替タイミング情報等を含むものである。また、所謂デュエット曲等、所定のタイミングで歌われるべき複数種類の歌詞を有する演奏曲に関しては、各歌詞に対応してテキスト情報、歌詞の出力タイミング情報、及び色替タイミング情報等が定められている。
【００１９】
前記映像表示装置３０は、画面に対する方向（視野角）によってそれぞれ異なる複数種類の映像を表示させる視野角制御型の表示装置であり、好適には、一般的なＴＦＴ（Thin Film Transistor）液晶ディスプレイ上に所定の視差バリア構造を設けることにより２方向に放射光を分離し、それぞれの方向に異なる情報やコンテンツの表示を可能とする液晶ディスプレイである。図３は、この映像表示装置３０による視野角制御について説明する図である。この図３に示すように、前記映像表示装置３０は、画面３０ｓに対する第１の角度範囲Ａから視た場合に視認可能な第１の映像を表示させると共に、上記画面３０ｓに対する第２の角度範囲Ｂから視た場合に視認可能な第２の映像を表示させる。換言すれば、上記画面３０ｓに対する第１の角度範囲Ａから視た場合には上記第１の映像は視認可能であるが上記第２の映像は視認不可能であり、上記画面３０ｓに対する第２の角度範囲Ｂから視た場合には上記第２の映像は視認可能であるが上記第１の映像は視認不可能である。ここで、上記画面３０ｓに垂直な方向に対する上記第１の角度範囲Ａの中心方向の成す角、その画面３０ｓに垂直な方向に対する上記第２の角度範囲Ｂの中心方向の成す角は、好適には何れも４０°程度で固定されているが、前記個室１４の形態等に応じてその中心角度の開きを変更し得るようにしてもよい。また、上記第１の映像及び第２の映像を等価なものとすることで、上記視野角制御を行わない通常の映像表示装置と同様の表示形態とすることも可能である。以上のような視野角表示制御によって、上記画面３０ｓに対する第１の角度範囲Ａに位置する利用者（演奏者）６８ａと、第２の角度範囲Ｂに位置する利用者（演奏者）６８ｂとで、異なる映像に基づくカラオケ演奏が可能とされる。なお、図３では前記映像表示装置３０の画面３０ｓが紙面手前から奥に向かう方向に垂直を成すように描かれているが、これは説明の便宜のためであり、実際の映像表示装置３０は、以下に詳述する図４に示すように、前記画面３０ｓが利用者６８ａ、６８ｂの方に向けられた状態で設置されている。
【００２０】
前記ＣＣＤカメラ６４は、電荷結合素子（Charge Coupled Device：ＣＣＤ）により像を撮影する撮像装置であり、そのＣＣＤカメラ６４により撮影された映像は直接的に或いは図示しない所定のコンバータを介して前記カラオケ装置１６の制御部に入力されるようになっている。図４は、前記第１ＣＣＤカメラ６４ａ及び第２ＣＣＤカメラ６４ｂそれぞれの撮像範囲について説明する図である。この図４に示すように、第１の撮像装置である前記第１ＣＣＤカメラ６４ａは前記映像表示装置３０の画面３０ｓ側から前記第１の角度範囲Ａにおける映像を撮影するように、第２の撮像装置である前記第２ＣＣＤカメラ６４ｂは前記映像表示装置３０の画面３０ｓ側から前記第２の角度範囲Ｂにおける映像を撮影するように、例えば前記映像表示装置３０に固定される等してそれぞれ配設されている。斯かる構成によって、上記画面３０ｓに対する第１の角度範囲Ａに位置する利用者６８ａの像が前記第１ＣＣＤカメラ６４ａにより撮像されると共に、上記画面３０ｓに対する第２の角度範囲Ｂに位置する利用者６８ｂの像が前記第２ＣＣＤカメラ６４ｂにより撮像され、それらの撮像情報がそれぞれ前記カラオケ装置１６の制御部に入力される。
【００２１】
図２に戻って、前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えばＭＰＥＧ（Moving Picture Experts Group）形式のデータであり、そのＭＰＥＧデータに基づいて前記映像情報デコーダ３２により再生された背景映像は、前記ビデオミキサ３４へ送られる。また、前記映像出力部５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記映像出力部５６から出力される文字映像等と、前記映像情報デコーダ３２により再生される背景映像とを合成して前記映像表示装置３０に表示させる映像合成装置である。ここで、前記第１映像情報デコーダ３２ａ、第１ビデオミキサ３４ａ、及び第１映像出力部５６ａは、前記第１の角度範囲Ａに向けての映像すなわち前記第１の映像に対応して設けられたものであり、前記第１ビデオミキサ３４ａにより合成された映像情報に基づいて前記映像表示装置３０により前記第１の映像が表示される。また、前記第２映像情報デコーダ３２ｂ、第２ビデオミキサ３４ｂ、及び第２映像出力部５６ｂは、前記第２の角度範囲Ｂに向けての映像すなわち前記第２の映像に対応して設けられたものであり、前記第２ビデオミキサ３４ｂにより合成された映像情報に基づいて前記映像表示装置３０により前記第２の映像が表示される。なお、前記映像情報デコーダ３２、ビデオミキサ３４、及び映像出力部５６は、必ずしもそのすべてが前記第１の映像及び第２の映像に対応してそれぞれ個別に設けられるものでなくともよく、とりわけ前記映像情報デコーダ３２に関しては前記第１の映像及び第２の映像で共通の装置が用いられるものであってもよい。
【００２２】
図５は、前記カラオケ装置１６のＣＰＵ４４に備えられた制御機能の要部を説明する機能ブロック線図である。この図５に示す第１映像表示制御手段７０は、前記映像表示装置３０により表示される前記第１の映像すなわち画面３０ｓに対する第１の角度範囲Ａから視た場合に視認可能な映像の表示を制御する。具体的には、前記カラオケデータベース６６から読み出されるカラオケ情報及び前記第２ＣＣＤカメラ６４ｂから供給される映像情報に基づき、前記第１映像情報デコーダ３２ａ、第１ビデオミキサ３４ａ、及び第１映像出力部５６ａを介して斯かる第１の映像の制御を行う。また、第２映像表示制御手段７２は、前記映像表示装置３０により表示される前記第２の映像すなわち画面３０ｓに対する第２の角度範囲Ｂから視た場合に視認可能な映像の表示を制御する。具体的には、前記カラオケデータベース６６から読み出されるカラオケ情報及び前記第１ＣＣＤカメラ６４ａから供給される映像情報に基づき、前記第２映像情報デコーダ３２ｂ、第２ビデオミキサ３４ｂ、及び第２映像出力部５６ｂを介して斯かる第２の映像の制御を行う。これら第１映像表示制御手段７０及び第２映像表示制御手段７２は、好適には、曲の中途に所定のタイミングで歌われるべき第１の歌詞及び第２の歌詞を有する演奏曲に関してそれぞれの制御を行うものであり、例えば、第１の歌詞に対応する女声パート及び第２の歌詞に対応する男声パートを有するデュエット曲の演奏等に適用される。以下、斯かるデュエット曲の演奏における上記第１映像表示制御手段７０及び第２映像表示制御手段７２による表示制御の例を説明する。
【００２３】
図６は、上記デュエット曲の演奏において前記映像表示装置３０の画面３０ｓに表示される第１の映像７４を例示する図である。この図６に示すように、上記第１映像表示制御手段７０は、所定のタイミングで歌われるべき第１の歌詞及び第２の歌詞を有する演奏曲に関して、その第１の歌詞に対応する歌詞文字映像７６をその第１の歌詞に対応するテキスト情報及び出力タイミング情報等に基づいて生成し、前記第１の映像７４の一部として例えば最前面レイヤに表示させる。また、第２の撮像装置である前記第２ＣＣＤカメラ６４ｂにより撮影された映像すなわち前記第２の角度範囲Ｂにおける撮像７８を前記第１の映像７４の一部として例えば上記歌詞文字映像７６の背景側のレイヤに背景映像として表示させる。ここで、前記第２ＣＣＤカメラ６４ｂにより撮影された映像情報をそのまま背景映像として用いてもよいが、解像度を落とす等の変換を行って処理し易くすることが好ましい。また、この変換のために専用のコンバータを設けてもよい。また、上記第１映像表示制御手段７０は、好適には、前記演奏曲の出力と同期して前記第１の歌詞に対応する歌詞文字映像７６をその第１の歌詞に対応する色替タイミング情報等に基づいて順次色替わり表示させる。斯かる第１の映像７４は、前述した図３に示すように前記画面３０ｓに対する第１の角度範囲Ａに位置する利用者６８ａに視認可能な映像であり、その第１の映像７４に含まれる歌詞文字映像７６は、その利用者６８ａにより歌われるべき歌詞（例えば、利用者６８ａが女性である場合には女声パート、男性である場合には男声パート）に対応するものである。また、その背景映像として用いられる撮像７８は、前述した図４に示すように前記画面３０ｓに対する第２の角度範囲Ｂに位置する利用者６８ｂに対応する映像である。なお、上記歌詞文字映像７６の表示制御及び色替わり制御は、何れも前記第１映像出力部５６ａを介して行われる。
【００２４】
図７は、前記デュエット曲の演奏において前記映像表示装置３０の画面３０ｓに表示される第２の映像８０を例示する図である。この図７に示すように、前記第２映像表示制御手段７２は、所定のタイミングで歌われるべき第１の歌詞及び第２の歌詞を有する演奏曲に関して、その第２の歌詞に対応する歌詞文字映像８２をその第２の歌詞に対応するテキスト情報及び出力タイミング情報等に基づいて生成し、前記第２の映像８０の一部として例えば最前面レイヤに表示させる。また、第１の撮像装置である前記第１ＣＣＤカメラ６４ａにより撮影された映像すなわち前記第１の角度範囲Ａにおける撮像８４を前記第２の映像８０の一部として例えば上記歌詞文字映像８２の背景側のレイヤに背景映像として表示させる。ここで、前記第１ＣＣＤカメラ６４ａにより撮影された映像情報をそのまま背景映像として用いてもよいが、解像度を落とす等の変換を行って処理し易くすることが好ましい。また、この変換のために専用のコンバータを設けてもよい。また、前記第２映像表示制御手段７２は、好適には、前記演奏曲の出力と同期して前記第２の歌詞に対応する歌詞文字映像８２をその第２の歌詞に対応する色替タイミング情報等に基づいて順次色替わり表示させる。斯かる第２の映像８０は、前述した図３に示すように前記画面３０ｓに対する第２の角度範囲Ｂに位置する利用者６８ｂに視認可能な映像であり、その第２の映像８０に含まれる歌詞文字映像８２は、その利用者６８ｂにより歌われるべき歌詞（例えば、利用者６８ｂが女性である場合には女声パート、男性である場合には男声パート）に対応するものである。また、その背景映像として用いられる撮像８４は、前述した図４に示すように前記画面３０ｓに対する第１の角度範囲Ａに位置する利用者６８ａに対応する映像である。なお、上記歌詞文字映像８２の表示制御及び色替わり制御は、何れも前記第２映像出力部５６ｂを介して行われる。
【００２５】
図８は、前記カラオケ装置１６のＣＰＵ４４によるデュアルカラオケ映像表示制御の要部について説明するフローチャートであり、所定の周期で繰り返し実行されるものである。
【００２６】
先ず、ステップ（以下、ステップを省略する）Ｓ１において、デュアル画面モードすなわち前記映像表示装置３０により前記第１の角度範囲Ａと第２の角度範囲Ｂとで異なる映像を表示させるモードであるか否かが判断される。このＳ１の判断が否定される場合には、それをもって本ルーチンが終了させられるが、Ｓ１の判断が肯定される場合には、Ｓ２において、所定のデュエット曲の演奏開始であるか否かが判断される。このＳ２の判断が否定される場合には、それをもって本ルーチンが終了させられるが、Ｓ２の判断が肯定される場合には、Ｓ３において、対象となる演奏曲から第１の歌詞に対応する女声歌詞情報（テキスト情報、出力タイミング情報、及び色替わりタイミング情報）及び第２の歌詞に対応する男声歌詞情報（テキスト情報、出力タイミング情報、及び色替わりタイミング情報）が抽出される。次に、Ｓ４において、女声、男声（すなわち第１の歌詞、第２の歌詞）と映像の視野方向とが対応付けられる。次に、Ｓ５において、Ｓ４の対応付けが確定されたか否かが判断される。具体的には、前記映像表示装置３０によりＡ方向画面すなわち前記第１の角度範囲Ａから視た場合に視認可能な第１の映像として図９に示すような映像が、Ｂ方向画面すなわち前記第２の角度範囲Ｂから視た場合に視認可能な第２の映像として図１０に示すような映像がそれぞれ表示され、斯かる表示で示される対応関係（図９及び図１０ではＡ方向画面が女声、Ｂ方向画面が男声にそれぞれ対応）で演奏を開始するか或いは対応付けを変更するかを指示する入力操作が待たれる。これら図９及び図１０に示す画面において、前記電子早見本装置２２やリモコン装置２８等の入力操作により「これでO.K.」ボタンが押された場合にはその対応付けにより確定され、Ｓ６以下の処理が実行されるが、「反対にする」ボタンが押された場合にはＳ４において対応付けが反対にされて再設定され、Ｓ５において、演奏を開始するか或いは対応付けを変更するかを指示する入力操作が再度待たれる。
【００２７】
Ｓ６の処理では、Ａ方向すなわち前記角度範囲Ａに対応付けられた歌詞の歌詞文字映像７６がその歌詞に対応するテキスト情報及び出力タイミング情報等に基づいて生成されると共に、前記第２ＣＣＤカメラ６４ｂにより撮影された映像すなわち前記第２の角度範囲Ｂにおける撮像７８がその歌詞文字映像７６の背景側のレイヤに背景映像として合成され、前記画面３０ｓに対する第１の角度範囲Ａから視た場合に視認可能な第１の映像７４として表示させられる。この表示制御はカラオケ演奏が終わるまで継続させられる。また、Ｓ６の処理と略同時に、Ｓ７において、Ｂ方向すなわち前記角度範囲Ｂに対応付けられた歌詞の歌詞文字映像８２がその歌詞に対応するテキスト情報及び出力タイミング情報等に基づいて生成されると共に、前記第１ＣＣＤカメラ６４ａにより撮影された映像すなわち前記第１の角度範囲Ａにおける撮像８４がその歌詞文字映像８２の背景側のレイヤに背景映像として合成され、前記画面３０ｓに対する第２の角度範囲Ｂから視た場合に視認可能な第２の映像８０として表示させられる。この表示制御はカラオケ演奏が終わるまで継続させられる。次に、Ｓ８において、Ａ方向画面すなわち前記第１の映像７４における歌詞文字映像７６の更新制御及び色替制御がＳ４にて抽出されたテキスト情報、出力タイミング情報、及び色替タイミング情報等に基づいて実行される。また、Ｓ８の処理と略同時に、Ｓ９において、Ｂ方向画面すなわち前記第２の映像８０における歌詞文字映像８２の更新制御及び色替制御がＳ４にて抽出されたテキスト情報、出力タイミング情報、及び色替タイミング情報等に基づいて実行される。次に、Ｓ１０において、カラオケ演奏終了であるか否かが判断される。このＳ１０の判断が否定される場合には、Ｓ８以下の処理が再び実行されるが、Ｓ１０の判断が肯定される場合には、それをもって本ルーチンが終了させられる。以上の制御において、Ｓ６及びＳ８が前記第１映像表示制御手段７０の動作に、Ｓ７及びＳ９が前記第２映像表示制御手段７２の動作にそれぞれ対応する。
【００２８】
このように、本実施例によれば、画面３０ｓに対する第１の角度範囲Ａから視た場合に視認可能な第１の映像７４を表示させると共に、前記画面３０ｓに対する第２の角度範囲Ｂから視た場合に視認可能な第２の映像８０を表示させる映像表示装置３０を備え、所定のタイミングで歌われるべき第１の歌詞及び第２の歌詞を有する演奏曲に関して、その第１の歌詞に対応する歌詞文字映像７６を生成して前記第１の映像７４の一部として表示させる第１映像表示制御手段７０（Ｓ６及びＳ８）と、その第１映像表示制御手段７０による表示と同期して前記第２の歌詞に対応する歌詞文字映像８２を生成して前記第２の映像８０の一部として表示させる第２映像表示制御手段７２（Ｓ７及びＳ９）とを、有するものであることから、複数の演奏者が所定のタイミングでそれぞれ異なる歌詞を歌うべき箇所において、それぞれの歌詞文字映像を各演奏者に対応して区別し易く且つ可及的に大きく表示させることができる。すなわち、カラオケ演奏に際して複数種類の歌詞文字映像を実用的な態様で表示し得るカラオケ装置１６を提供することができる。
【００２９】
また、前記第１映像表示制御手段７０は、前記演奏曲の出力と同期して前記第１の歌詞に対応する歌詞文字映像７６を順次色替わり表示させるものであり、前記第２映像表示制御手段７２は、前記演奏曲の出力と同期して前記第２の歌詞に対応する歌詞文字映像８２を順次色替わり表示させるものであるため、前記第１の歌詞に対応する歌詞文字映像７６及び第２の歌詞に対応する歌詞文字映像８２をそれぞれ独立に順次色替わり表示させられるという利点がある。
【００３０】
また、前記画面３０ｓ側から前記第１の角度範囲Ａにおける映像を撮影する第１の撮像装置である第１ＣＣＤカメラ６４ａと、前記画面３０ｓ側から前記第２の角度範囲Ｂにおける映像を撮影する第２の撮像装置である第２ＣＣＤカメラ６４ｂとを、備え、前記第１映像表示制御手段７０は、その第２ＣＣＤカメラ６４ｂにより撮影された撮像７８を前記第１の映像７４の一部として表示させるものであり、前記第２映像表示制御手段７２は、前記第１ＣＣＤカメラ６４ａにより撮影された撮像８４を前記第２の映像８０の一部として表示させるものであることから、例えばデュエット曲等に関して複数人でカラオケ演奏を行う場合に、自分とは異なる角度範囲において歌っている相手の撮像を背景映像として演奏を行うことができ、あたかもその相手と見つめ合って歌っているような演奏形態を実現できる。すなわち、カラオケ演奏に際して複数種類の映像を実用的な態様で表示し得るカラオケ装置１６を提供することができる。
【００３１】
特に、従来のカラオケ装置においては、比較的広い個室１４において多人数でカラオケ演奏を行う場合にカラオケ画面と演奏者とを一時に視ることが困難であったが、本実施例によればそれが好適に可能とされ、そのカラオケ演奏における場に一体感を形成できるという利点がある。更に、角度範囲毎に見え方が違うという従来の技術にはない新たな娯楽性を付与できることから、場の雰囲気を盛り上げることができるという利点がある。
【００３２】
また、前記第１映像表示制御手段７０は、前記第２ＣＣＤカメラ６４ｂにより撮影された撮像７８を前記第１の映像７４における背景映像として表示させるものであり、前記第２映像表示制御手段７２は、前記第１ＣＣＤカメラ６４ａにより撮影された撮像８４を前記第２の映像８０における背景映像として表示させるものであるため、複数人でカラオケ演奏を行う場合に自分とは異なる角度範囲において歌っている相手の撮像を背景映像としてそのカラオケ演奏を行うことができ、カラオケ演奏に際して複数種類の映像を更に実用的な態様で表示できるという利点がある。
【００３３】
以上、本発明の好適な実施例を図面に基づいて詳細に説明したが、本発明はこれに限定されるものではなく、更に別の態様においても実施される。
【００３４】
例えば、前述の実施例において、前記映像情報デコーダ３２、ビデオミキサ３４、及び映像出力部５６は、それぞれ別個の制御部として設けられたものであったが、本発明はこれに限定されるものではなく、例えばそれらの機能を有する一体の制御部として設けられたものであっても構わない。また、前記映像情報デコーダ３２、ビデオミキサ３４、及び映像出力部５６と同等の制御機能が前記ＣＰＵ４４に機能的に備えられたものであってもよく、更にはそれらの制御機能が前記第１映像表示制御手段７０、第２映像表示制御手段７２に含まれるものであっても構わない。
【００３５】
また、前述の実施例では、デュエット曲のカラオケ演奏における前記第１映像表示制御手段７０及び第２映像表示制御手段７２によるデュアルカラオケ映像表示制御について説明したが、本発明の制御がデュエット曲ではない通常の演奏曲のカラオケ演奏においても適用され得ることは言うまでもなく、例えば、一般の演奏曲におけるバックコーラスや掛け声に対応する部分、アニメソングにおける間投的なキャラクターボイスに相当する部分、邦楽曲において外国語歌詞を重ねて歌う部分、童謡における輪唱等、所定のタイミングで歌われるべき複数種類の歌詞を有する演奏曲に本発明は広く適用可能である。また、合唱曲の各演奏パート（ソプラノ、アルト、テナー、バス）を前記第１の歌詞、第２の歌詞に対応させ、その合唱曲の練習に本発明のカラオケ装置１６を用いるといった利用態様も考えられる。
【００３６】
その他、一々例示はしないが、本発明はその趣旨を逸脱しない範囲内において種々の変更が加えられて実施されるものである。
【図面の簡単な説明】
【００３７】
【図１】本発明が好適に適用されるカラオケシステムを説明する概略図である。
【図２】本発明の一実施例であるカラオケ装置の構成を例示するブロック線図である。
【図３】図２のカラオケ装置に備えられた映像表示装置による視野角制御について説明する図である。
【図４】図２のカラオケ装置に備えられた第１ＣＣＤカメラ及び第２ＣＣＤカメラそれぞれの撮像範囲について説明する図である。
【図５】図２のカラオケ装置のＣＰＵに備えられた制御機能の要部を説明する機能ブロック線図である。
【図６】図２のカラオケ装置によるデュエット曲の演奏において映像表示装置の画面に表示される第１の映像を例示する図である。
【図７】図２のカラオケ装置によるデュエット曲の演奏において映像表示装置の画面に表示される第２の映像を例示する図である。
【図８】図２のカラオケ装置のＣＰＵによるデュアルカラオケ映像表示制御の要部について説明するフローチャートである。
【図９】図２のカラオケ装置によるデュエット曲の演奏に先立って映像表示装置に表示される対応付けの確認画面を例示する図である。
【図１０】図２のカラオケ装置によるデュエット曲の演奏に先立って映像表示装置に表示される対応付けの確認画面を例示する図である。
【符号の説明】
【００３８】
１６：カラオケ装置
３０：映像表示装置
３０ｓ：画面
７０：第１映像表示制御手段
７２：第２映像表示制御手段
７４：第１の映像
７６：歌詞文字映像
８０：第２の映像
８２：歌詞文字映像
【図１】
2007199416.tif 000003
【図２】
2007199416.tif 000004
【図３】
2007199416.tif 000005
【図４】
2007199416.tif 000006
【図５】
2007199416.tif 000007
【図６】
2007199416.tif 000008
【図７】
2007199416.tif 000009
【図８】
2007199416.tif 000010
【図９】
2007199416.tif 000011
【図１０】
2007199416.tif 000012